(57)【要約】【課題】景品交換所の窓口業務を効率化して待ち時間の短縮と検品の徹底を図る。【解決手段】換金用景品１に内蔵した無線ＩＣタグ２の情報を読み取るリーダ／ライタ３にパソコンなどのコントローラ４を接続し、その出力側にＬＥＤなどのディスプレイ５と、場合によって現金自動支払機６を接続する。以上のような構成で、コントローラ４が換金用景品１に内蔵した無線ＩＣタグ２の情報をリーダ／ライタ３を介して読み取り、種別毎の個数と買取金額および総合計金額を算出してそれをディスプレイ５に表示する。【選択図】図１
2005245905.tif 000002
【特許請求の範囲】
【請求項１】
パチンコ・パチスロなどの換金用景品に無線ＩＣタグを内蔵し、
この無線ＩＣタグに書き込まれた情報を衝突を防止しながら個別に読み取る読取手段と、
読み取った情報に基づいて前記換金用景品の正当性を検証する検証手段と、
読み取った情報に基づいて前記換金用景品の買取金額を計算する計算手段と、
計算した買取金額をディスプレイに表示する表示手段と、
を備えることを特徴とする景品買取金額表示装置。
【請求項２】
前記読取手段は応答許可条件として前記無線ＩＣタグに付与されているＩＤの読取範囲を指定して１以上の無線ＩＣタグが同時に応答するときに発生する衝突を防止することを特徴とする請求項１記載の景品買取金額表示装置。
【請求項３】
前記検証手段が行う正当性の検証は前記無線ＩＣタグに付与されているＩＤの妥当性をチェックして行われることを特徴とする請求項１記載の景品買取金額表示装置。
【請求項４】
前記検証手段が行う正当性の検証は前記無線ＩＣタグとの間で認証用の情報をやり取りして行われることを特徴とする請求項１記載の景品買取金額表示装置。
【請求項５】
前記無線ＩＣタグにはハードウエアまたは／およびソフトウエアによる偽造防止のための防護策が講じられていることを特徴とする請求項１記載の景品買取金額表示装置。
【請求項６】
前記計算手段は前記換金用景品の種別毎の個数と買取金額および総合計金額を算出し、前記表示手段はそれをディスプレイに表示することを特徴とする請求項１記載の景品買取金額表示装置。
【発明の詳細な説明】
【技術分野】
【０００１】
本発明は、パチンコ・パチスロ店の景品交換所において客から買い取った換金用景品の買取金額をその場で計算して表示する景品買取金額表示装置に関する。
【背景技術】
【０００２】
風適法23条の「遊技場営業者の禁止行為」の(1)によれば「現金または有価証券を賞品として提供すること」が禁止規定になっている。
このため、現状はパチンコ・パチスロ店で受け取った換金用景品を換金するための場所（景品交換所）を設け、パチンコ・パチスロ店とは無関係に、"客が景品を売りに行く"という形をとっている。客から買い取った景品は卸問屋を経て、再びパチンコ・パチスロ店に還流する。このやり方は、例外なく全国４７都道府県すべてのパチンコ・パチスロ店で行われている。
【０００３】
景品交換所では、図５に示すように、最初に客がパチンコ・パチスロ店で払い出された換金用景品１を持ってきてそれを窓口カウンタの凹陥部の底に置いたトレイ７に入れる。
次に、係員がトレイ７を手前に引いて輪ゴムなどでとめて束にした換金用景品１を受け取る。
次に、ブラックライトを照射して発光するかどうか検品し、ＯＫであれば大小の種別毎に枚数を数える。
枚数を数えたら買取金額を計算し、種別毎の枚数と買取金額を表示装置に入力し、それを客の目の前にあるディスプレイ５に表示する。
その後、客がＯＫであればお札を数えてトレイ７の中に入れ、トレイ７を前に押し出して客にお金を渡す。
【０００４】
以上のように、現状では検品から枚数のカウント、買取金額の計算から表示に至る一連の処理をすべて手作業で行わなければならず、手間と時間の掛かる作業になっている。
そのため、客の待ち時間が長く、特に閉店間際には客が殺到し、対応が追いつかずに長い行列ができてしまうことになる。
また、ピーク時には対応が忙しく、検品する暇もないので、偽造などによる被害が多発している。
【発明の開示】
【発明が解決しようとする課題】
【０００５】
解決しようとする問題点は、景品交換所の窓口業務がすべて係員の手作業によって行われ、手間と時間を要する点であり、本発明は、景品交換所の窓口業務を効率化して待ち時間の短縮と検品の徹底を図ることを目的になされたものである。
【課題を解決するための手段】
【０００６】
本発明は、パチンコ・パチスロなどの換金用景品に無線ＩＣタグを内蔵し、この無線ＩＣタグに書き込まれた情報を衝突を防止しながら個別に読み取る読取手段と、読み取った情報に基づいて換金用景品の正当性を検証する検証手段と、読み取った情報に基づいて換金用景品の買取金額を計算する計算手段と、計算した買取金額をディスプレイに表示する表示手段を備えることを最も主要な特徴とする。
【発明の効果】
【０００７】
本発明の景品買取金額表示装置は、換金用景品に内蔵した無線ＩＣタグの情報を読み取って買取金額を計算し、その場で瞬時にディスプレイに表示するので、景品交換所の窓口業務が大幅に軽減され、ピーク時の対応が容易になり、客の待ち時間も短くなる。
また、無線ＩＣタグの情報を読み取って換金用景品の正当性を検証するので、人手を介さずに迅速かつ確実な検品ができるようになる。
【発明を実施するための最良の形態】
【０００８】
以下、本発明の実施の形態について説明する。
図１に、本発明を実施した景品買取金額表示装置の構成図を示す。
景品買取金額表示装置は、換金用景品１に内蔵した無線ＩＣタグ２の情報を読み取るリーダ／ライタ３にパソコンなどのコントローラ４を接続し、その出力側にＬＥＤなどのディスプレイ５と、場合によって現金自動支払機６を接続する。
現金自動支払機６を設置すると、窓口を無人化できるが、警察の許可がおりないので、現状では難しい。
【０００９】
図２に、換金用景品１の外観図を示す。
換金用景品１には大景品と小景品の種別あり、それぞれプラスチックケース１１の中に１ｇと0.3ｇのインゴット１２が入れられている。
電卓やハンカチ、ボーペンなどが入っているものもある。
インゴット１２の周辺には、ブラックライトによる検品用の特殊インク１３が塗られている。特殊インク１３の代わりに特殊シールが貼られている場合もある。
【００１０】
無線ＩＣタグ２は、アンテナ２１とＩＣチップ２２を一体に組込み、リーダ／ライタ３の電波をアンテナ２１で受信して励起電圧を発生し、これを整流して動作電源とする。
また、受信した電波を復調して読取信号を取り出し、応答信号を変調して電力増幅することなく再発射する。ＩＣチップ２２には不正コピーを防止するため、耐タンパー性を高めるためのハード的、ソフト的な防護策が講じられている。
【００１１】
図３に、リーダ／ライタ３の構成図を示す。
リーダ／ライタ３は、アンテナ３１とＲＦ部３２、送信部３３、受信部３４のアナログ回路とデータ処理部３５のデジタル回路で構成し、コントローラ４の制御によりＩＤの読取信号を変調して電波を発射し、無線ＩＣタグ２より受信した電波を復調して応答信号を取り出す。
リーダ／ライタ３が発射する電波は、データ通信の他にも無線ＩＣタグ２が必要とする電力を伝送している。
【００１２】
ＩＤの読み取りは、リーダ／ライタ３がＩＤの読取範囲を指定して読取信号を送信し、無線ＩＣタグ２が自分のＩＤが読取範囲内にあればそれを応答信号として返送する。
無線ＩＣタグ２は、自発的に信号を発信せず、リーダ／ライタ３の読取信号を受けてこれを正確に認識して初めて受動的に応答信号を返送する。
従って、自分のＩＤが読取範囲内にない場合や読取信号を認識できない場合は応答しない。そのため、複数の換金用景品１に内蔵されている無線ＩＣタグ２の情報を一度に読み取る場合、リーダ／ライタ３の通信エリア内に複数の無線ＩＣタグ２が存在するので、ＩＤの読取範囲を制御することにより無用の応答を阻止し、複数の無線ＩＣタグ２の応答による混信と衝突を防止するアンチコリジョン制御を行う。
【００１３】
応答が衝突するとＩＤの読み取り／書き込みができないばかりでなく、最悪の場合は、書き込み時に無線ＩＣタグ２のデータを破壊してしまうおそれがある。
従って、ＩＤの読み取り／書き込みはアンチコリジョン制御により無線ＩＣタグ２が単独応答したときのみ行う。
応答が複数か単独かの識別は、応答が重複すると受信信号のビットパターンに乱れが生じることから、サイクリックチェックコード（ＣＲＣ）などを使用して受信信号のビットパターンをチェックし、誤りを検出したときは複数の応答があったと判断する。
【００１４】
本発明を実施した景品買取金額表示装置は以上のような構成で、コントローラ４が換金用景品１に内蔵した無線ＩＣタグ２の情報をリーダ／ライタ３を介して読み取り、種別毎の個数と買取金額および総合計金額を算出してそれをディスプレイ５に表示する。
【００１５】
図４に、コントローラ４の処理フローを示す。
まず、ステップ１０１において応答許可条件として最大読取範囲を指定し、次のステップ１０２においてリーダ／ライタ３を介してＩＤの読取命令を無線ＩＣタグ２に送信する。
次のステップ１０３において無線ＩＣタグ２からの応答があるかどうかを判定し、応答がある場合は次のステップ１０４に移行し、応答がない場合はステップ１０９に処理を進める。
ステップ１０４では無線ＩＣタグ２からの応答が単独応答か複数応答かを判定し、複数応答の場合はステップ１０５において読取範囲を縮小し、ステップ１０２に戻って次の読取命令を実行する。
単独応答の場合は次のステップ１０６において応答した無線ＩＣタグ２のＩＤを読み取り、次のステップ１０７において換金用景品１の正当性を検証する。
【００１６】
正当性の検証は、例えばＩＤの妥当性をチェックしたり、無線ＩＣタグ２との間で認証用の情報をやり取りして行う。
ＩＤの妥当性のチェックは、読み取ったＩＤが現在払い出し中の換金用景品１のものであるかどうかを確認して行う。
そのため、パチンコ・パチスロ店、景品交換所、卸問屋のすべてのサーバをアクセスして現在払い出し中の換金用景品１のＩＤを確認し、払い出し中でない（既に読み取られて在庫となっているか、最初から存在しない）場合はそのＩＤの換金用景品１を不当であるとする。
認証用の情報のやり取りは、最初にコントローラ４が無線ＩＣタグ２のパスワードを基に作成した共通鍵で認証用の情報を暗号化して無線ＩＣタグ２に送信し、次に無線ＩＣタグ２が受け取った認証用の情報を共通鍵で復号化し、復号化した認証用の情報に基づいて適切な応答を返信して行う。
なお、以上の検証方法は一例であってこれらの検証方法に限定するものではない。
【００１７】
正当性が検証されなければ、ステップ１０８においてディスプレイ５にその旨のエラーを表示して処理を終了する。
このとき、自動的に防犯カメラが作動するようにすれば、偽造防止に大きな効果が期待できる。
正当性が検証されれば、読み取ったＩＤをメモリに保存し、次のステップ１０９において読取範囲を拡大する。
次のステップ１１０において読取範囲が最大読取範囲をオーバしたかどうかを判定し、オーバした場合は次のステップ１１１に移行し、オーバしない場合はステップ１０２に戻って次の読取命令を実行する。
次のステップ１１１においてメモリに保存したＩＤを読み出して大小の種別毎に個数をカウントし、種別毎の買取金額および総合計金額を計算して次のステップ１１２において種別毎の個数、買取金額および総合計金額をディスプレイ５に表示して処理を終了する。
【図面の簡単な説明】
【００１８】
【図１】本発明を実施した景品買取金額表示装置の構成図である。
【図２】換金用景品１の外観図である。
【図３】リーダ／ライタ３の構成図である。
【図４】コントローラ４の処理フローである。
【図５】景品交換所の窓口業務の説明図である。
【符号の説明】
【００１９】
１          換金用景品
１１        プラスチックケース
１２        インゴット
１３        特殊インク
２          無線ＩＣタグ
２１        アンテナ
２２        ＩＣチップ
３          リーダ／ライタ
３１        アンテナ
３２        ＲＦ部
３３        送信部
３４        受信部
３５        データ処理部
４          コントローラ
５          ディスプレイ
６          現金自動支払機
７          トレイ
【図１】
2005245905.tif 000003
【図２】
2005245905.tif 000004
【図３】
2005245905.tif 000005
【図４】
2005245905.tif 000006
【図５】
2005245905.tif 000007